(57)【要約】【課題】  従来の光を使用した眼瞼用あんぽう器は、波長の特性を利用したものではなく、あんぽう効果に課題があった。また、あんぽう効果としての血流量の変化の測定には眼瞼用のものはなく、治療と効果確認をその場で確認できるものではなかった。【解決手段】  眼瞼あんぽう用の光としては、皮膚の深部組織に到達する７４０ｎｍの赤色ＬＥＤを使用し、眼瞼用の血流計としての照射光は、散乱光であり血中の脱酸素化ヘモグロビンに吸収される７００ｎｍの赤色ＬＥＤを使用することで、点ではなく面として立体的に血流量の変化を測定することができる。この眼瞼用のあんぽう器と血流計を一本化することで、暗室は不要で、その場で効果の確認ができるため、臨床だけでなく一般ユーザー向けとしても使用することができる。【選択図】図１
2018075326.tif 000002
【特許請求の範囲】
【請求項１】
ピーク波長が７４０ｎｍの赤色ＬＥＤを用いた眼瞼用あんぽう器と、ピーク波長が７００ｎｍの赤色ＬＥＤを用いて、ＬＥＤの散乱光が眼瞼組織を透過して強膜で反射した光を受光する眼瞼用血流計とを一体化することで、眼瞼用あんぽう器による眼瞼血流量の変化をその場で確認することができる眼瞼用あんぽう血流計。
【発明の詳細な説明】
【技術分野】
【０００１】  本発明は、眼瞼用あんぽう血流計に関する。
【背景技術】
【０００２】  従来の眼瞼用あんぽう器は、ピーク波長６３０ｎｍ〜７５０ｎｍの赤色あんぽう器がある（例えば、特許文献１）。また、商品化されたものもある（例えば、非特許文献１）。
【特許文献１】  特願２０１５−２３８０２７
【非特許文献１】  商品名「アイホットＲ」  広告掲載誌  日本の眼科  ８６：４号（２０１５年４月号）  ｐ．５６８
【０００３】  従来の血流計としては超音波やレーザーの血流計があり、眼瞼用としての血流計は無い。現在の血流計としてはレーザー血流計が中心である（例えば、非特許文献２）。また、波長により血液への吸収が異なる吸光曲線が影響する（例えば、非特許文献３）。さらに、特定の波長は皮膚の深部組織まで到達する（例えば、非特許文献４）。
【非特許文献２】  文献名「レーザードップラ」  脈管学  Ｖｏｌ．４５Ｎｏ．５  Ｍａｙ２５．２００５  Ｐ３１２〜３１６
【非特許文献３】  文献名  「血液の吸光曲線図」  日本赤外線学会誌  Ｖｏｌ．２０Ｎｏ．２  ２０１１．９  Ｐ２２〜２３
【非特許文献４】  文献名  「皮膚組織と赤外線放射吸収比率」照明学会誌  Ｖｏｌ．７４Ｎｏ．１２  １９９０  Ｐ２６〜２７
【発明の開示】
【発明が解決しようとする課題】
【０００４】  従来の眼瞼用あんぽう器に使用される赤色光の波長の範囲が広く、ピーク波長が６３０ｎｍ〜７５０ｎｍまであるため、皮膚の深部まで浸透する特定の波長が選択されなかった。また、同様に眼瞼用血流計に使用される赤色光の波長も特定されなかった。【０００５】  レーザー血流計は光がピンポイントで生体内を点測定するため、血液量を測定するにはスキャン測定が必要であり、また深度は皮膚表面から約０．５ミリの表皮までとされるため、皮下組織の血管網には到達せず、眼瞼部位の血流量の測定には適していない。【０００６】  本発明は、このような従来の手段を改善し、眼瞼のあんぽう器と血流計とを一体化することで、手軽に臨床にも一般ユーザーにも使用できることを目的とするものである。
【課題を解決するための手段】
【０００７】  本発明は上記目的を達成するために、眼瞼用あんぽう器に使用する光源を７４０ｎｍの波長の赤色ＬＥＤを使用している。これは（非特許文献４）の皮膚の深部組織まで到達する波長が７５０ｎｍ付近になることによるもので、実際にテストした結果でも確認された。【０００８】  また、眼瞼用血流計の解決手段として、測定用の光源の波長を７００ｎｍの赤色ＬＥＤを使用している。これは（非特許文献３）の血液の吸光曲線図から７００ｎｍの赤色光が血中の脱酸素化ヘモグロビンに吸収されやすいことによるものである。また、光源のＬＥＤが散乱光であることにより血流を点ではなく血流量として捉えることができる。【０００９】  また、第３の課題解決手段は、眼瞼用のあんぽう器と血流計を一体化することで、あんぽう器による治療後にその場で眼瞼皮膚の血流量の変化を確認することができる。さらに、測定用プローブが遮光構造のため、測定時に暗室を必要としない。
【発明の効果】
【００１０】  上述したように本発明の眼瞼用あんぽう器は、眼瞼組織の深部まで到達する７４０ｎｍの赤色ＬＥＤ１本の使用で、従来の７００ｎｍ赤色ＬＥＤ１０本の使用と比較して、平均して約２５％の血流量の増加が得られている。【００１１】  また、眼瞼用血流計は、７４０ｎｍに近い７００ｎｍの赤色ＬＥＤの使用により、眼瞼組織を透過して強膜に到達し、反射した散乱光をフォトダイオードで受光測定する。同時に７００ｎｍの赤色光は血中の脱酸素化フェモグロビンに多く吸収されるため、眼瞼の血流量の変化を容易に確認できる。【００１２】  また、眼瞼用あんぽう器と血流計を一体化することで、あんぽう治療による眼瞼の血流量変化の結果をその場で確認できるとともに、臨床だけでなく一般ユーザーが平常時の血流量を把握して、目の疲れなどの健康管理に活用することもできる。
【発明を実施するための最良の形態】
【００１３】  以下、本発明の実施の形態を図１〜図３に基づいて説明する。【００１４】  図においては、１は眼瞼用あんぽう血流計で、プローブパッド２とメガネ式あんぽう器３に接続している。眼瞼用あんぽう血流計１は血流計と電源及びあんぽう器を切り替えるスイッチ５と、アナログメーター７とをコントロールするボリューム８、さらに、プローブパッド２とメガネ式あんぽう器３のスタートを兼ねた押しボタン６で構成されている。【００１５】  プローブパッド２は、眼球に当てた時に外光が入らないような曲面形状で、スポンジのような柔らかい材質が適している。仕切版９はＤ型のゴムを使用し、プローブパッド２の内部で発光部である赤色７００ＬＥＤ１０の光が受光部のフォトダイオード１１に入ることを防ぐためのものである。赤色７００ＬＥＤ１０とフォトダイオード１１は基板１２に取り付けられ、眼瞼用あんぽう血流計１に接続されている。【００１６】  メガネ式あんぽう器３は、眼球に密着する形状にしたスポンジのパッド１４を基板上に取り付け、その中心に赤色７４０ＬＥＤ１３を左右に各１個配置したものを、メガネに装着している。【００１７】  以下、使用手順について説明する。まず、治療前の血流量を測定するには、眼瞼用あんぽう血流計１のＤＣジャック４にＡＣアダプターを接続し、切り替えスイッチ５を測定用に切換えて、パイロットランプＡ１５が点灯するのを確認する。測定眼は左右どちらでも良いが、左右の眼の血流量が異なるため、治療前と治療後は同じ眼で測定する。【００１８】  次に、プローブパッド２を目に当てながら遮光状態を確認するため、アナログメーター７の針がスタートゾーン（図示せず）にあることを確認してから押しボタン６を押す。押しボタン６を押したまま、アナログメーター７の針が中央の目盛を指すように、ボリューム８のつまみを調整して安定させ、その指示したボリュウーム８の目盛板（図示せず）の数値を治療前の血流量として記録しておく。【００１９】  次に、メガネ式あんぽう器３による治療は、切り替えスイッチ５を切り替えパイロットランプＢ１６の点灯を確認してから、メガネ式あんぽう器３を閉眼した目に掛け、押しボタン６を押してスタートさせる。赤色７４０ＬＥＤ１３が１分間点灯し、１分後にブザーが鳴り自動的に消灯する。【００２０】  治療後の血流量の測定は、上記、自動的に消灯した４分後に眼瞼用あんぽう血流計３に内蔵されたタイマーでブザーが鳴り、治療後の測定をスタートさせる。治療後の測定は上記治療前の手順と同じであるが、治療前のボリューム８のつまみの位置が変わらないことを確認し、アナログメーター７の針の位置を読み取り、治療前と治療後の血流量の変化を確認することができる。アナログメーター７の針の位置が治療前の中央よりスタートゾーンに近くなれば、即ちマイナスになれば治療後に血流量が増加し、その分、赤色７００ＬＥＤ１０の光が脱酸素化ヘモグロビンに吸収されたことを示している。
【図面の簡単な説明】
【００２１】
【図１】  本発明の実施形態を示す眼瞼用あんぽう血流計の斜視説明図
【図２】  同プローブパッドの内部構成を示す断面図
【図３】  同メガネ式あんぽう器の斜視説明図
【符号の説明】
【００２２】Ｉ  眼瞼用あんぽう血流計
２  プローブパッド
３  メガネ式あんぽう器
４  ＤＣジャック
５  切換えスイッチ
６  押しボタン
７  アナログメーター
８  ボリューム
９  仕切版
１０  赤色７００ＬＥＤ
１１  フォトダイオード
１２  基板
１３  赤色７４０ＬＥＤ
１４  パッド
１５  パイロットランプＡ
１６  パイロットランプＢ
【図１】
2018075326.tif 000003
【図２】
2018075326.tif 000004
【図３】
2018075326.tif 000005